(57)【要約】【課題】指を汚さずに食品などの対象物を摘む摘み具において、使用面をほかの物品に付着させないように載置できる摘み具を提供する。【解決手段】摘み具１は、第１当接片１０と、第２当接片２０と、連結部３０を有する。第１当接片１０には、第１切欠部分５１が形成され、第２当接片２０には、第２切欠部分５２が形成される。第１切欠部分５１は、第１当接片１０における指さし方向Ｄに沿った外縁部１０ｅｂから指さし方向Ｄに交差する交差方向ＣＤに沿って形成されるとともに、第１当接片１０における交差方向ＣＤの途中に終端５１ｅを有する。第２切欠部分５２は、第２当接片２０における指さし方向Ｄに沿った外縁部２０ｅｂから交差方向ＣＤに沿って形成されるとともに、第２当接片２０における交差方向ＣＤの途中に終端５２ｅを有する。【選択図】図２
2012010983.tif 000002
【特許請求の範囲】
【請求項１】
対象物と使用者の手指との間に介在して用いられる摘み具であって、
前記手指に沿って指腹に当接する第１外面、及び前記第１外面の反対側に位置しており対象物に当接する第１内面とを有する第１当接片と、
前記手指に沿って指腹に当接する第２外面、及び前記第２外面の反対側に位置しており前記対象物に当接する第２内面とを有し、前記手指に沿った指さし方向において、指先に向かうに連れて前記第１内面と前記第２内面との間隔が広がるように前記第１内面と前記第２内面とを対向させた状態で配置された第２当接片と、
前記指さし方向において、前記間隔を拡縮する動作に対して前記間隔を復元可能に前記第１当接片と前記第２当接片とを連結する連結部と、
前記摘み具が係止される被係止物品の端部に係止される係止部と
を有し、
前記係止部は、前記第１当接片と前記第２当接片と前記連結部の少なくともいずれかに形成される摘み具。
【請求項２】
前記係止部は、
第１切欠部分と、第２切欠部分とを含み、
前記第１切欠部分は、
前記第１当接片における前記指さし方向に沿った外縁部から前記指さし方向に交差する交差方向に沿って形成されるとともに、前記第１当接片の前記交差方向の途中に終端を有しており、
前記第２切欠部分は、
前記第２当接片における前記指さし方向に沿った外縁部から前記指さし方向に交差する交差方向に沿って形成されるとともに、前記第２当接片の前記交差方向の途中に終端を有しており、
前記第１切欠部分と前記第２切欠部分とは互いに対向する位置に形成されている請求項１に記載の摘み具。
【請求項３】
前記係止部は、
前記被係止物品の形状の一部が挿入される開口を含む請求項１に記載の摘み具。
【請求項４】
前記開口を形成する前記連結部の壁部には、開口中心に向けて突出する少なくとも１つの突起が形成されている請求項３に記載の摘み具。
【請求項５】
前記開口は、連結部に形成される請求項３に記載の摘み具。
【請求項６】
前記係止部は、
前記連結部の前記指さし方向に交差する交差方向における一方の端部から前記指さし方向に突出する庇部分と、
前記庇部分から前記交差方向に延びる爪部分と
を有する鉤状部
を含む請求項１に記載の摘み具。
【発明の詳細な説明】
【技術分野】
【０００１】
本発明は、使用者が食品などの対象物を摘む際に、対象物と手指との間に介在して用いられる摘み具に関する。
【背景技術】
【０００２】
従来、指を汚したくない作業の合間に、指を汚さないように、手早く食品などの対象物を摘むための道具として、指を覆う袋状のカバー部と、カバー部同士を連結する連結部とを有する指カバーと、指カバーを載置する台座が提案されている（特許文献１参照）。指カバーは、台座に載置されるため、食品が当接する使用面が不衛生な箇所に付着したり、食品が付着した使用面が作業中の機器などに付着したりすることを防止できる。
【先行技術文献】
【特許文献】
【０００３】
【特許文献１】特開２００９−０００１６０（第１図）
【発明の概要】
【発明が解決しようとする課題】
【０００４】
しかし、特許文献１に記載された従来の指カバーには、以下のような問題点があった。すなわち、例えば、映画館の座席のように台座が置けない状況や、車内のように限られたスペースしかない状況や、台座から離れた場所で使用する状況においては、指から外した指カバーの使用面をほかの物品に付着させないように載置することが難しかった。
【０００５】
そこで、本発明は、食品などの対象物に当接する使用面をほかの物品に付着させないように載置でき、指を汚さずに食品などの対象物を摘むことのできる摘み具を提供することを目的とする。
【課題を解決するための手段】
【０００６】
上述した目的を達成するために、本発明の第１の特徴は、対象物と使用者の手指との間に介在して用いられる摘み具（摘み具１）であって、前記手指（手指Ｍ）に沿って指腹（指腹Ｍａ）に当接する第１外面（第１外面１１）、及び前記第１外面の反対側に位置しており対象物に当接する第１内面（第１内面１２）とを有する第１当接片（第１当接片１０）と、前記手指に沿って指腹に当接する第２外面（第２外面２１）、及び前記第２外面の反対側に位置しており前記対象物に当接する第２内面（第２内面２２）とを有し、前記手指に沿った指さし方向（指さし方向Ｄ）において、指先に向かうに連れて前記第１内面と前記第２内面との間隔（間隔Ｓ）が広がるように前記第１内面と前記第２内面とを対向させた状態で配置された第２当接片（第２当接片２０）と、前記指さし方向において、前記間隔を拡縮する動作に対して前記間隔を復元可能に前記第１当接片と前記第２当接片とを連結する連結部（連結部３０）と、前記摘み具が係止される被係止物品（カップ５００，携帯型電話機６００，携帯型ゲーム機７００）の端部（縁部５００ｅ，端部６００ｅ，端部７００ｅ）に係止される係止部（第１切欠部分５１，第２切欠部分５２，開口１０１，鉤状部２４０）とを有し、前記係止部は、前記第１当接片と前記第２当接片と前記連結部の少なくともいずれかに形成されることを要旨とする。
【０００７】
本発明の第１の特徴によれば、摘み具を第１当接片と第２当接片と連結部の少なくともいずれかに形成された係止部によって、被係止物品の端部に係止させることができる。従って、摘み具は、台座と対に構成されていないが、対象物に当接する使用面である摘み具の第１内面及び第２内面をほかの物品に付着させないように載置させることができる。
【０００８】
本発明の第２の特徴は、本発明の第１の特徴に係り、前記係止部は、第１切欠部分と、第２切欠部分とを含み、前記第１切欠部分は、前記第１当接片における前記指さし方向に沿った外縁部から前記指さし方向に交差する交差方向に沿って形成されるとともに、前記第１当接片の前記交差方向の途中に終端を有しており、前記第２切欠部分は、前記第２当接片における前記指さし方向に沿った外縁部から前記指さし方向に交差する交差方向に沿って形成されるとともに、前記第２当接片の前記交差方向の途中に終端を有しており、前記第１切欠部分と前記第２切欠部分とは互いに対向する位置に形成されていることを要旨とする。
【０００９】
本発明の第２の特徴によれば、摘み具の第１当接片と第２当接片とは、連結部によって、第１内面と第２内面との間隔を拡縮する動作に対して、間隔Ｓを復元可能に連結されている。このため、使用者が、摘み具を被係止物品の端部に取り付ける際に、摘み具の第１当接片と第２当接片との間隔を縮め、被係止物品の端部を第１切欠部分及び第２切欠部分に差し込んだ後、摘み具から指を離すと、摘み具の第１当接片と第２当接片とが拡開することによって、第１切欠部分及び第２切欠部分が被係止物品の端部に係止される。
【００１０】
このように、第１当接片と第２当接片とが拡開するように形成されているため、摘み具を被係止物品の端部に確実に係止できる。従って、摘み具は、台座と対に構成されていないが、摘み具の使用面である第１内面及び第２内面をほかの物品に付着させないように載置させることができる。
【００１１】
本発明の第３の特徴は、本発明の第１の特徴に係り、前記係止部は、前記被係止物品の形状の一部が挿入される開口を含むことを要旨とする。
【００１２】
本発明の特徴によれば、使用者は、摘み具の開口に被係止物品の端部を挿入することによって、摘み具を被係止物品に係止させておくことができる。
【００１３】
また、本発明の第４の特徴は、本発明の第３の特徴に係り、前記開口を形成する前記連結部の壁部には、開口中心に向けて突出する少なくとも１つの突起が形成されていることを要旨とする。
【００１４】
本発明の第４の特徴によれば、突起によって滑り止め効果が得られ、摘み具を被係止物品の端部に確実に係止することができる。
【００１５】
本発明の第５の特徴は、本発明の第３の特徴に係り、前記開口は、連結部に形成されることを要旨とする。
【００１６】
本発明の第５の特徴によれば、開口が連結部に形成されることにより、使用面である第１内面及び第２内面を被係止物品から遠ざけることができ、使用面をほかの物品に付着させないようにする効果が高められる。
【００１７】
本発明の第６の特徴は、本発明の第１の特徴に係り、前記係止部は、前記連結部の前記指さし方向に交差する交差方向における一方の端部から前記指さし方向に突出する庇部分と、前記庇部分から前記交差方向に延びる爪部分とを有する鉤状部を含むことを要旨とする。
【００１８】
本発明の第６の特徴によれば、鉤状であることにより、使用者にとって被係止物品の端部への着脱動作が行いやすい。
【発明の効果】
【００１９】
本発明によれば、食品などの対象物に当接する使用面をほかの物品に付着させないように載置でき、指を汚さずに食品などの対象物を摘むことのできる摘み具を提供することができる。
【図面の簡単な説明】
【００２０】
【図１】図１は、本発明の第１実施形態に係る摘み具の平面図である。
【図２】図２は、本発明の第１実施形態に係る摘み具の側面図である。
【図３】図３は、本発明の第１実施形態に係る摘み具の斜視図である。
【図４】図４は、本発明の第１実施形態に係る摘み具の使用時の様子を説明する断面図である。
【図５】図５は、本発明の第１実施形態に係る摘み具の使用時の様子を説明する斜視図である。
【図６】図６は、本発明の第１実施形態に係る摘み具をカップに取り付けた状態を説明する模式図である。
【図７】図７（ａ），（ｂ）は、本発明の第１実施形態に係る摘み具をカップに取り付ける様子を説明する図である。。
【図８】図８（ａ），（ｂ）は、本発明の第１実施形態に係る摘み具をカップに取り付けた状態を説明する模式図である。
【図９】図９は、摘み具の変形例を説明する斜視図である。
【図１０】図１０は、本発明の第２実施形態に係る摘み具の斜視図である。
【図１１】図１１（ａ）は、第２実施形態に係る摘み具を携帯型電話機の端部に取り付けた状態を説明する図であり、図１１（ｂ）は、第２実施形態に係る摘み具を携帯型ゲーム機の端部に取り付けた状態を説明する図であり。
【図１２】図１２は、第３実施形態に係る摘み具の斜視図である。
【図１３】図１３は、第３実施形態に係る摘み具をカップに取り付けた状態を説明する模式図である。
【発明を実施するための形態】
【００２１】
次に、本発明に係る摘み具の実施形態について、図面を参照しながら説明する。具体的には、（１）第１実施形態、（２）第２実施形態、（３）第３実施形態、（４）その他の実施形態について説明する。
【００２２】
（１）第１実施形態
（１−１）摘み具の構成
図１〜図３を参照して、摘み具１について説明する。図１は、摘み具１の平面図である。図２は、摘み具１の側面図である。図３は、摘み具１の斜視図である。摘み具１は、一例として、食品などの対象物を手指を使って食する際に、対象物と使用者の手指との間に介在して用いられる。摘み具１は、第１当接片１０と、第２当接片２０と、連結部３０を有する。
【００２３】
第１当接片１０は、手指Ｍ（図４参照）に沿って指腹Ｍａに当接する第１外面１１と、第１外面１１の反対側に位置しており、対象物に当接する第１内面１２とを有する。
【００２４】
第２当接片２０は、手指Ｍに沿って指腹Ｍａに当接する第２外面２１と、第２外面２１の反対側に位置しており、対象物に当接する第２内面２２とを有する。第２当接片２０は、手指Ｍに沿った指さし方向Ｄにおいて、指先に向かうに連れて第１内面１２と第２内面２２との間隔Ｓが広がるように第１内面１２と第２内面２２とを対向させた状態で配置されている。
【００２５】
連結部３０は、間隔Ｓを拡縮する動作に対して間隔Ｓを復元可能に第１当接片１０と第２当接片２０とを連結する。実施形態の摘み具１では、図２に示すように、側面視において、連結部３０は、指さし方向Ｄに対して傾斜している。指さし方向Ｄとのなす角度は、角度θである。また、連結部３０の内面には、指さし方向Ｄに交差する方向に沿って複数の溝３１，３２が形成されている。
【００２６】
第１当接片１０には、被係止物品の端部に形成される係止部として第１切欠部分５１が形成されている。また、第２当接片２０には、第２切欠部分５２が形成されている。第１実施形態では、第１切欠部分５１及び第２切欠部分５２は、摘み具１の側方視において、連結部３０と略平行に形成される。
【００２７】
第１切欠部分５１は、第１当接片１０における指さし方向Ｄに沿った外縁部１０ｅｂから指さし方向Ｄに交差する交差方向ＣＤに沿って形成されるとともに、第１当接片１０における交差方向ＣＤの途中に終端５１ｅを有する。
【００２８】
第２切欠部分５２は、第２当接片２０における指さし方向Ｄに沿った外縁部２０ｅｂから交差方向ＣＤに沿って形成されるとともに、第２当接片２０における交差方向ＣＤの途中に終端５２ｅを有する。
【００２９】
第１当接片１０及び第２当接片２０において、第１切欠部分５１と第２切欠部分５２とは互いに対向する位置に形成されている。また、第１切欠部分５１及び第２切欠部分５２は、指さし方向Ｄにおける中央領域Ｃよりも指付け根側に形成される。
【００３０】
第１実施形態において、第１切欠部分５１と第２切欠部分５２の指さし方向Ｄの幅ｗ１は、略一定であり、終端５１ｅ，５２ｅにおける指さし方向Ｄの幅ｗ２は、幅ｗ１よりも大きい。
【００３１】
第１当接片１０及び第２当接片２０において、指腹Ｍａに対応する領域Ｙｒには、窪みが形成されている。すなわち、第１外面１１，第２外面２１には、凹部Ｙｒが形成されている。凹部Ｙｒは、ずれ防止手段を構成する。
【００３２】
第１当接片１０及び第２当接片２０の指さし方向Ｄに沿った長さＬは、手指Ｍの指先から付け根までの長さよりも短い。第１当接片１０及び第２当接片２０の第１外面１１，第２外面２１の上部はカバーなどにより覆われてはおらず、第１外面１１，第２外面２１が外部に露呈されている。
【００３３】
第１当接片１０の第１内面１２、及び第２当接片２０の第１内面２２には、対向する他方の第１内面側に突出する凸部４１が形成されている。なお、凸部４１に代わって、第１外面１１，２１側に窪んだ凹部が形成されていてもよい。また、凹部と凸部の両方が形成されていてもよい。
【００３４】
第１当接片１０の指さし方向Ｄにおける指先側の先端部（指先側部分という）１１ａ、及び第２当接片２０の指さし方向Ｄにおける指先側の先端部（指先側部分という）２１ａにおいて、第１当接片１０及び第２当接片２０の指さし方向Ｄに直交する方向（交差方向ＣＤ、図２参照）の長さ（すなわち、摘み具１の幅Ｗ）は、指さし方向Ｄにおける指先側に向かうに連れて減少する。実施形態では、指先側部分１１ａ（２１ａ）が略円弧状に形成されている。
【００３５】
図４は、摘み具１の使用時の様子を説明する断面図である。図４に示すように、第１当接片１０及び第２当接片２０の指さし方向Ｄにおける指先側部分１１ａ（２１ａ）の厚みｄ３は、第１当接片１０及び第２当接片２０の指腹Ｍａに対応する領域（凹部Ｙｒ）の周囲の部分１１ｂ（２１ｂ）厚みｄ２よりも厚い。図４では、凹部Ｙｒの厚みｄ１で表される。ｄ３＞ｄ２＞ｄ１である。
【００３６】
摘み具１の材料としては、例えば、シリコーン樹脂、ポリウレタン樹脂、熱可塑性樹脂、などを使用できる。軟質の合成樹脂であれば、好適に使用可能である。また、ポリプロピレン樹脂のような硬質の合成樹脂であっても、連結部３０の内面に形成される溝３１，３２の間隔、溝の数などを変更することによって、摘み具１の第１当接片１０と第２当接片２０における第１内面１２と第２内面２２との間隔Ｓを拡縮する動作に対して、間隔Ｓを復元可能な弾性力を付与することができる。
【００３７】
また、第１当接片１０及び第２当接片２０の指さし方向Ｄに沿った長さＬは、例えば、２０ｍｍ〜８０ｍｍとすることができる。また、第１内面１２と第２内面２２との間隔Ｓは、最も広いところで、例えば、１０ｍｍ〜８０ｍｍとすることができる。連結部３０と指さし方向Ｄとのなす角度θの範囲は、１５°〜１００°とすることができる。
【００３８】
（１−２）作用・効果
図６は、第１実施形態に係る摘み具１を被係止物品であるカップ５００に取り付けた状態を説明する図である。図７（ａ），（ｂ）は、摘み具１をカップ５００に取り付ける様子を説明する図である。図８（ａ），（ｂ）は、摘み具１をカップ５００に取り付けた状態を説明する図である。図６に示すように、摘み具１の第１切欠部分５１及び第２切欠部分５２がカップ５００の端部である湾曲した縁部５００ｅに差し込まれることにより、摘み具１がカップ５００に係止される。
【００３９】
摘み具１の第１当接片１０と第２当接片２０とは、連結部３０によって、第１内面１２と第２内面２２との間隔Ｓを拡縮する動作に対して、間隔Ｓを復元可能に連結されている。このため、使用者は、摘み具１をカップ５００に取り付ける際に、摘み具１の第１当接片１０と第２当接片２０との間隔Ｓを縮め（図７（ｂ）白矢印参照）、カップの縁部５００ｅを第１切欠部分５１及び第２切欠部分５２に差し込んだ後、摘み具１から指を離すと、摘み具１の第１当接片１０と第２当接片２０とが拡開する（図８（ｂ）黒矢印参照）。
【００４０】
この状態において、第１切欠部分５１及び第２切欠部分５２は、カップ５００の縁部５００ｅと２箇所で接触する。すなわち、接点５１ａ，５１ｂ，５２ａ，５２ｂの合計４箇所が縁部５００ｅに当接することによって摘み具１が支持される。
【００４１】
このように、第１当接片１０と第２当接片２０とが拡開するように形成されているため、縁部５００ｅが第１切欠部分５１及び第２切欠部分５２の幅ｗ１よりも薄くても、摘み具１をカップ５００に確実に係止できる。従って、摘み具１は、台座と対に構成されていないが、摘み具１の使用面（第１内面１２、第２内面２２）をほかの物品に付着させないように載置させることができる。
【００４２】
また、摘み具１では、第１外面１１と第２外面２１に形成された凹部Ｙｒに使用者の指腹Ｍａが収まるように形成されている。このように、摘み具１は、第１当接片１０と第２当接片２０の第１外面１１と第２外面２１の上部は、カバーなどにより覆われておらず、外部に露呈されているが、上述したように、間隔Ｓを拡縮する動作を復元可能にする連結部３０により、使用者が手指Ｍの間隔を拡縮する動作に追従して、摘み具１の第１当接片１０と第２当接片２０とが拡縮する。このため、使用者の手指に馴染みやすい。従って、摘み具１によれば、指を汚したくない作業の合間に、手早く、指を汚さずに食品などの対象物を摘むことができる。
【００４３】
更に、摘み具１によれば、第１当接片１０と第２当接片２０の第１外面１１と第２外面２１の上部は、カバーなどにより覆われていないため、使用者の爪が長い場合、爪に付け爪が装着されている場合、爪に装飾が施されている場合であっても使用できる。
【００４４】
また、摘み具１の指さし方向Ｄに沿った長さＬを、例えば、２０ｍｍ〜８０ｍｍとすることにより、摘み具１が平均的な手のサイズにおいて、人差し指と親指との間の指股に収まるため、摘み具１を手指に介在させて使用できる。また、第１内面１２と第２内面２２との間隔Ｓは、最も広いところで、例えば、１０ｍｍ〜８０ｍｍとすることができる。また、連結部３０と指さし方向Ｄとのなす角度θの範囲は、１５°〜１００°とすることができる。この範囲から外れる場合には、摘み具１を手指に介在させることが困難になり、フィット性が悪化するとともに、使用者にとって扱いにくくなる。
【００４５】
第１当接片１０及び第２当接片２０の指さし方向Ｄにおける指先側の厚みｄ３は、凹部Ｙｒの周囲の厚みｄ２よりも厚くすることにより、指腹Ｍａが凹部Ｙｒに収まるとともに、指先側の厚みが増した部分に、使用者の指先が当接し、指先が引っかかりうる。従って、摘み具１のフィット性を高めることができる。
【００４６】
実施形態の摘み具１においては、以下の値に限定されないが、一例として、指先側部分１１ａ（２１ａ）の厚みｄ３は、３．８ｍｍとすることができる。凹部Ｙｒの周囲の部分１１ｂ（２１ｂ）の厚みｄ２は、２．６ｍｍとすることができる。また、凹部Ｙｒの厚みｄ１は、２．２ｍｍとすることができる。また、０．９ｍｍ≦（ｄ３−ｄ２）≦１．５ｍｍとすることが好ましい。この範囲を外れる場合には、平均的な使用者の指腹から爪下部までの高さに合わなくなるため、第１当接片１０及び第２当接片２０の一部が爪に接触する可能性があり、使用者に違和感を与えることになる。
【００４７】
摘み具１において、連結部３０の内面には、指さし方向Ｄに交差する方向に沿って複数の溝３１，３２が形成される。この溝の数により、第１当接片１０と第２当接片２０とが対象物を摘みやすい角度になるように、連結部の弾性力、剛性などを調整することができる。また、溝３１，３２の深さを調節することによっても、連結部の弾性力、剛性などを調整することができる。
【００４８】
また、摘み具１の指先側部分１１ａ，２１ａにおいて、幅Ｗは、指さし方向における指先側に向かうに連れて減少する。すなわち、摘み具１は、指先の輪郭に沿った形状に形成されているため、使用者が対象物を摘み易い。
【００４９】
また、第１当接片１０の第１内面１２と第２当接片２０の第２内面２２には、凸部４１が形成されている。この凸部４１により、対象物が引っかかるため、保持性が高められる。
【００５０】
（１−３）変形例
摘み具１は、第１当接片１０に第１切欠部分５１が形成され、第２当接片２０に第２切欠部分５２が形成されているが、切欠部分は、連結部３０に形成されていてもよい。図９は、摘み具１の変形例である摘み具２を説明する斜視図である。摘み具２は、連結部３０に切欠部分５１’，５２’を備える。連結部３０には、切欠部分５１’，５２’によって、中間部分３３が形成される。摘み具２では、切欠部分５１’，５２’にカップ５００の縁部５００ｅが挿入される。
【００５１】
摘み具２の材料としては、摘み具１と同様に、例えば、シリコーン樹脂、ポリウレタン樹脂、熱可塑性樹脂、などの軟質の合成樹脂を用いることが好ましい。これにより、中間部分３３に、中間部分３３の付け根部分３３ｂを基点として指さし方向Ｄ（図９においては、紙面表裏方向）に変形する柔軟性と付勢力とを付与でき、縁部５００ｅを安定して把持させることができる。
【００５２】
（２）第２実施形態
（２−１）摘み具の構成
本発明の第２実施形態に係る摘み具１００について、図面を参照して説明する。図１０は、摘み具１００の斜視図である。摘み具１００は、第１当接片１１０と、第２当接片１２０と、連結部１３０を有する。第１当接片１１０には、第１切欠部分５１と同様の作用効果を有する第１切欠部分１５１が形成されている。また、第２当接片１２０には、第２切欠部分５２と同様の作用効果を有する第２切欠部分１５２が形成されている。
【００５３】
また、摘み具２には、被係止物品の端部が挿入される開口１０１が形成されている。第２実施形態では、開口１０１は、連結部１３０に形成されている。第２実施形態において、開口１０１は、係止部を構成する。
【００５４】
開口１０１が形成される連結部１３０の壁面１３１，１３２，１３３，１３４のうち、壁面１３１，１３３には、開口中心に向けて突出する突起１４１，１４２が形成されている。
【００５５】
図１１（ａ）は、摘み具２を携帯型電話機６００の端部６００ｅに取り付けた状態を説明する図であり、図１１（ｂ）は、摘み具２を携帯型ゲーム機７００の端部７００ｅに取り付けた状態を説明する図である。
【００５６】
（２−２）作用・効果
図１１（ａ）（ｂ）に示されるように、使用者は、摘み具１００の開口１０１に被係止物品の端部である角部分を挿入することによって、摘み具１００を携帯型電話機６００や携帯型ゲーム機７００に係止させておくことができる。これにより、使用者は、携帯型電話機６００や携帯型ゲーム機７００の操作の合間に、摘み具１００を使用して、手早く、指を汚さずに食品などの対象物を摘むことができる。また、開口１０１が形成される連結部１３０の壁面１３１，１３３に形成された突起１４１，１４２によって滑り止め効果が得られるため、摘み具１００を端部６００ｅ，７００ｅに確実に係止することができる。開口１０１が連結部１３０に形成されることにより、使用面を携帯型電話機６００や携帯型ゲーム機７００などの被係止物品から遠ざけることができるため、使用面をほかの物品に付着させないようにする効果が高められる。
【００５７】
（３）第３実施形態
（３−１）摘み具の構成
本発明の第３実施形態について、図１２，図１３を参照して説明する。図１２は、本発明の第３実施形態に係る摘み具２００の斜視図である。図１３は、摘み具２００をカップ５００に取り付けた状態を説明する模式図である。
【００５８】
摘み具２００は、第１当接片２１０と、第２当接片２２０と、連結部２３０を有する。連結部２３０には、鉤状部２４０が形成されている。鉤状部２４０は、庇部分２４１と、爪部分２４２とを有する。
【００５９】
庇部分２４１は、連結部２３０の指さし方向Ｄに交差する交差方向ＣＤにおける一方の端部２３１から指さし方向Ｄに突出する。爪部分２４２は、庇部分２４１から交差方向ＣＤに延びる。
【００６０】
（３−２）作用・効果
摘み具２００は、鉤状部２４０を備えることにより、使用者は、摘み具２００の鉤状部２４０をカップ５００の縁部５００ｅに係止させておくことができる。また、鉤状であることにより、カップ５００の縁部５００ｅに着脱し易い。
【００６１】
（４）その他の実施形態
上記のように、実施形態をあげて本発明について記載したが、この開示の一部をなす論述及び図面は、この発明を限定するものであると理解すべきではない。この開示から当業者には、様々な代替実施形態、実施例及び運用技術が明らかとなる。
【００６２】
第１実施形態において、第１切欠部分５１と第２切欠部分５２の指さし方向Ｄの幅ｗ１は、略一定であるように説明したが、第１切欠部分５１と第２切欠部分５２の幅ｗ１は、終端に向かうに連れて狭められていてもよい。このような形状にした場合には、被係止物品の一部を第１切欠部分５１及び第２切欠部分５２に導きやすく、被係止物品への付け外しの動作が行いやすくなる。
【００６３】
第１実施形態では、第１切欠部分５１及び第２切欠部分５２は、摘み具１の側方視において、連結部３０と略平行に形成されていると説明したが、必ずしも略平行である必要はない。また、第１切欠部分５１及び第２切欠部分５２は、指さし方向Ｄにおける中央領域Ｃよりも指付け根側に形成されると説明したが、使用面が他の物品に触れない範囲で中央領域Ｃよりも指先側に形成されていてもよい。
【００６４】
また、第１切欠部分５１及び第２切欠部分５２は、例えば、第１当接片１０及び第２当接片２０の指さし方向Ｄの指先側の指先側部分１１ａ、及び指先側部分２１ａから中央領域Ｃに向けて形成されていてもよい。
【００６５】
なお、確実に係止させるという効果を得るには、第１切欠部分５１と第２切欠部分５２とを一対形成することが有用であるが、いずれか一方であっても摘み具１をカップ５００に係止させることは可能である。
【００６６】
第２実施形態では、摘み具１００の開口１０１が形成される連結部１３０の壁面１３１，１３２，１３３，１３４のうち、壁面１３１，１３３には、開口中心に向けて突出する突起１４１，１４２が形成されていると説明した。しかし、壁面１３２，１３４に形成されていてもよいし、壁面１３１，１３２，１３３，１３４の全てに形成されていてもよい。また、突起１４１，１４２は、必ずしも形成されていなくてもよい。開口の形状は、円形、四角形、台形（例えば、上方ほど壁面間が狭まる形状、上方ほど壁面間が広がる形状を含む）、四角形と円形組み合わせなど、変形が可能である。
【００６７】
貫通した開口１０１のほか、貫通していない窪みであってもよい。この場合には、窪み部の深さを被係止物品の端部に係止可能な程度にする。
【００６８】
実施形態において、被係止物品の端部の一例として、カップ５００の縁部５００ｅ、携帯型電話機６００の角部分である端部６００ｅ、携帯型ゲーム機７００の角部分である端部７００ｅであると説明した。しかし、摘み具１，１００，２００の係止部の形状に適合する被係止物品の一部分であれば、カップ５００の縁部５００ｅ、携帯型電話機６００の角部分である端部６００ｅ、携帯型ゲーム機７００の角部分である端部７００ｅに限定されない。
【００６９】
第３実施形態において、鉤状部２４０は、連結部２３０に形成されていると説明した。しかし、第１当接片２１０又は第２当接片２２０に形成されていてもよい。また、鉤状部２４０は、爪部分２４２を備えていなくてもよい。すなわち、被係止物品の端部に係止可能な程度に突出した庇部分２４１だけで構成されていてもよい。
【００７０】
また、第３実施形態において、鉤状部２４０を構成する爪部分２４２は、連結部３０に沿った交差方向ＣＤに、図１２に示されているものよりも長く形成されてもよい。これにより、延ばされた爪部分２４２と連結部２３０とによって、摘み具２００をカップ５００の縁部５００ｅを挟持させることができ、摘み具２００をカップ５００の縁部５００ｅに確実に保持させることができる。この場合には、延ばされた爪部分２４２を連結部２３０に向けて付勢する構成にすることで、保持力を高めることができる。爪部分２４２の連結部２３０側の表面に突起などを設ければ、更に、滑り止め効果が付与され、保持力が高められる。
【００７１】
第１実施形態、第２実施形態、及び第３実施形態として示した摘み具の形状は、組み合わせ可能である。第１実施形態、第２実施形態、及び第３実施形態の特徴を併せ持つことにより、複数のシチュエーションにおいても、食品などの対象物に当接する使用面をほかの物品に付着させないように載置できる。
【００７２】
第１実施形態、第２実施形態、及び第３実施形態として示した摘み具の形状以外にも、摘み具を被係止物品に係止或いは保持可能な構成であれば、適用可能である。例えば、第１当接片、第２当接片、或いは連結部のいずれかに吸盤が形成されていてもよい。吸盤によって摘み具を被係止物品の表面に吸着させても、食品などの対象物に当接する使用面をほかの物品に付着させないように載置するという本発明と同等の効果が得られる。
【００７３】
摘み具は、手指を使って食する場合に使用されるだけでなく、汚れたものを摘む場合にも使用できる。更には、肌に直接触れると好ましくない液体、薬品、血液などが付着したものを摘む場合にも使用可能である。
【００７４】
連結部３０は、図２に示すように、側面視において、指さし方向Ｄに対して傾斜していると説明した。しかし、連結部３０は、指さし方向Ｄに対して、必ずしも傾斜していなくてもよい。すなわち、指さし方向Ｄとのなす角度が９０°に形成されていてもよい。
【００７５】
摘み具１の材料としては、軟質の合成樹脂だけでなく、ポリプロピレン樹脂のように硬質の樹脂であっても使用できる。硬質の樹脂を使用する場合、指さし方向及び幅Ｗに交差する交差方向の連結部３０の長さと、溝３１，３２の深さとを調節することにより、弾性力、剛性などを調整することができる。
【００７６】
上述のように、本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７７】
１，１００，２００…摘み具、  １０…第１当接片、  １０ｅｂ…外縁部、  １１…第１外面、  １２…第１内面、  １１ａ，２１ａ…指先側部分、  １１ｂ，２１ｂ…周囲の部分、  ２０…第２当接片、  ２０ｅｂ…外縁部、  ２１…第２外面、  ２２…第２内面、  ３０…連結部、  ３１，３２…溝、  ３３…中間部分、  ３３ｂ…付け根部分、  ４１…凸部、  ５１…第１切欠部分、  ５２…第２切欠部分、  ５１ａ，５１ｂ，５２ａ，５２ｂ…接点、  ５１ｅ，５２ｅ…終端、  １０１…開口、  １１０…第１当接片、  １２０…第２当接片、  １３０…連結部、  １３１，１３２，１３３，１３４…壁面、  １４１，１４２…突起、  １５１…第１切欠部分、  １５２…第２切欠部分、  ２１０…第１当接片、  ２２０…第２当接片、  ２３０…連結部、  ２３１…端部、  ２４０…鉤状部、  ２４１…庇部分、  ２４２…爪部分、  ５００…カップ、  ５００ｅ…縁部、  ６００…携帯型電話機、  ６００ｅ…端部、  ７００…携帯型ゲーム機、  ７００ｅ…端部、  Ｃ…中央領域、Ｄ…指さし方向、Ｓ…間隔、  Ｍ…手指、  Ｍａ…指腹、Ｙｒ…凹部
【図１】
2012010983.tif 000003
【図２】
2012010983.tif 000004
【図３】
2012010983.tif 000005
【図４】
2012010983.tif 000006
【図５】
2012010983.tif 000007
【図６】
2012010983.tif 000008
【図７】
2012010983.tif 000009
【図８】
2012010983.tif 000010
【図９】
2012010983.tif 000011
【図１０】
2012010983.tif 000012
【図１１】
2012010983.tif 000013
【図１２】
2012010983.tif 000014
【図１３】
2012010983.tif 000015